(57)【要約】【課題】  建物の内部の有効スペースを狭めることなく、導光手段を設置することができる採光装置を提供すること。【解決手段】  太陽光を導入する採光手段４と、採光手段４からの光をその内面で反射させながら所定方向へ導く筒状の導光手段６と、導光手段６からの光を屋内に照射する照射手段８と、を備えた採光装置２である。採光手段４は、建物１４の外部に取り付けられている。導光手段６の少なくとも一部は建物１４の壁内空間９６に配設され、導光手段６の導入部は壁内空間９６を通して採光手段４に連結され、その導出部は壁内空間９６を通して照射手段８に連結される。【選択図】  図１
2010067506.tif 000002
【特許請求の範囲】
【請求項１】
太陽光を導入する採光手段と、前記採光手段からの光をその内面で反射させながら所定方向へ導く筒状の導光手段と、前記導光手段からの光を屋内に照射する照射手段と、を備えた採光装置において、
前記採光手段は建物の外部に取り付けられ、前記導光手段の少なくとも一部は前記建物の壁内空間に配設され、前記導光手段の導入部は前記壁内空間を通して前記採光手段に連結され、その導出部は前記壁内空間を通して前記照射手段に連結されることを特徴とする採光装置。
【請求項２】
前記照射手段は複数の照射部を有し、また前記導光手段は複数の導光チューブを有しており、前記複数の導光チューブの各々の少なくとも一部は前記壁内空間に配設され、前記複数の導光チューブの各導入部は前記壁内空間を通して前記採光手段に連結され、それらの各導出部は前記壁内空間を通して前記複数の照射部にそれぞれ連結されることを特徴とする請求項１に記載の採光装置。
【請求項３】
前記照射手段は複数の照射部を有し、また前記導光手段は、前記壁内空間に配設される接続用導光チューブと、前記接続用導光チューブの導入部に接続される複数の第１導光チューブと、前記接続用導光チューブの導出部に接続される複数の第２導光チューブと、を有し、前記複数の第１導光チューブの各導入部は前記壁内空間を通して前記採光手段に連結され、前記複数の第２導光チューブの各導出部は前記壁内空間を通して前記複数の照射部にそれぞれ連結されることを特徴とする請求項１に記載の採光装置。
【請求項４】
前記採光手段は、前記建物の外部に取り付けられる取付部材と、前記取付部材に装着されるドーム部材とから構成され、前記取付部材は、基台部と、前記基台部から延びる筒状の支持部とから構成されており、前記ドーム部材は前記支持部に装着され、前記支持部の開口部には装着部材が取り付けられ、前記装着部材には、前記導光手段の導入部が挿通保持される貫通孔が設けられていることを特徴とする請求項１〜３のいずれかに記載の採光装置。
【請求項５】
前記導光手段は、前記採光手段に取り付けられる筒状導光部材と、前記筒状導光部材と前記照射手段との間に接続される複数の導光チューブと、を有し、前記筒状導光部材は、前記採光手段側から前記照射手段側に横断面積が拡大される第１テーパ部と、前記採光手段側から前記照射手段側に横断面積が縮小される第２テーパ部と、を有し、前記第１テーパ部は前記筒状導光部材の導入部側に設けられ、前記第２テーパ部は前記筒状導光部材の導出部側に設けられていることを特徴とする請求項１に記載の採光装置。
【請求項６】
太陽光を導入する採光手段と、前記採光手段からの光をその内面で反射させながら所定方向へ導く筒状の導光手段と、前記導光手段からの光を屋内に照射する照射手段と、を備えた採光装置において、
建物の屋根を貫通して上下方向に延びる筒状支持体が設けられ、前記筒状支持体の上端部は前記建物の屋根から上方に延び、前記採光手段は前記筒状支持体の上端部に取り付けられ、前記導光手段の少なくとも一部は前記筒状支持体の内部に配設されており、
前記照射手段は主照射部及び副照射部を有し、前記導光手段は、主導光部と、前記主導光部の側面から分岐して延びる分岐導光部と、を有し、前記主導光部の導入部は前記筒状支持体の上端開口部を通して前記採光手段に連結され、その導出部は前記筒状支持体の下端開口部を通して前記主照射部に連結され、また前記分岐導光部の導出部は前記副照射部に連結されることを特徴とする採光装置。
【発明の詳細な説明】
【技術分野】
【０００１】
本発明は、太陽光を屋内へ導入して屋内を照明するための採光装置に関する。
【背景技術】
【０００２】
近年、太陽光を屋内へ導入して屋内を照明するための採光装置が知られている（例えば、特許文献１参照）。この採光装置は、建物の屋根に設けられて太陽光を導入する採光手段と、採光手段からの光をその内面で反射させながら所定方向へ導く筒状の導光手段と、屋内の天井に設けられて導光手段からの光を屋内に照射する照射手段と、を備えている。
【０００３】
採光手段は、ドーム部材及び取付部材を備えている。取付部材は、屋根に取り付けられる基台部と、基台部から上方に延びる筒状の支持部とから構成され、ドーム部材は支持部に装着される。また、照射手段は拡散カバー部材から構成され、固定用リングを介して屋内の天井に取り付けられる。導光手段は、相互に接続される複数の筒状部材から構成されている。導光手段の一端部は、屋根に設けられた開口を通して取付部材の支持部に連結され、その他端部は、天井に設けられた開口を通して固定用リングを介して拡散カバー部材に連結される。
【０００４】
【特許文献１】特開２００６−５４０７１号公報
【発明の開示】
【発明が解決しようとする課題】
【０００５】
しかしながら、上述のような従来の採光装置では、次のような問題がある。第１に、採光装置を建物に設置する際には、例えば押し入れやクローゼットなどの収納空間、あるいは書斎やリビングなどの居住空間などに導光手段を貫通させて配設しなければならず、建物の内部の有効スペースが狭まってしまうという問題がある。
【０００６】
第２に、積雪量の比較的多い地域において、採光装置を建物に設置した場合には、建物の屋根に雪が降り積もると、採光手段のドーム部材がこの雪の中に埋もれてしまい、太陽光を屋内へ導入することができないという問題がある。
【０００７】
本発明の目的は、建物の内部の有効スペースを狭めることなく、導光手段を設置することができる採光装置を提供することである。
また、本発明の他の目的は、屋根に雪が降り積もった場合であっても、太陽光を屋内へ導入することができる採光装置を提供することである。
【課題を解決するための手段】
【０００８】
本発明の請求項１に記載の採光装置では、太陽光を導入する採光手段と、前記採光手段からの光をその内面で反射させながら所定方向へ導く筒状の導光手段と、前記導光手段からの光を屋内に照射する照射手段と、を備えた採光装置において、
前記採光手段は建物の外部に取り付けられ、前記導光手段の少なくとも一部は前記建物の壁内空間に配設され、前記導光手段の導入部は前記壁内空間を通して前記採光手段に連結され、その導出部は前記壁内空間を通して前記照射手段に連結されることを特徴とする。
【０００９】
また、本発明の請求項２に記載の採光装置では、前記照射手段は複数の照射部を有し、また前記導光手段は複数の導光チューブを有しており、前記複数の導光チューブの各々の少なくとも一部は前記壁内空間に配設され、前記複数の導光チューブの各導入部は前記壁内空間を通して前記採光手段に連結され、それらの各導出部は前記壁内空間を通して前記複数の照射部にそれぞれ連結されることを特徴とする。
【００１０】
また、本発明の請求項３に記載の採光装置では、前記照射手段は複数の照射部を有し、また前記導光手段は、前記壁内空間に配設される接続用導光チューブと、前記接続用導光チューブの導入部に接続される複数の第１導光チューブと、前記接続用導光チューブの導出部に接続される複数の第２導光チューブと、を有し、前記複数の第１導光チューブの各導入部は前記壁内空間を通して前記採光手段に連結され、前記複数の第２導光チューブの各導出部は前記壁内空間を通して前記複数の照射部にそれぞれ連結されることを特徴とする。
【００１１】
また、本発明の請求項４に記載の採光装置では、前記採光手段は、前記建物の外部に取り付けられる取付部材と、前記取付部材に装着されるドーム部材とから構成され、前記取付部材は、基台部と、前記基台部から延びる筒状の支持部とから構成されており、前記ドーム部材は前記支持部に装着され、前記支持部の開口部には装着部材が取り付けられ、前記装着部材には、前記導光手段の導入部が挿通保持される貫通孔が設けられていることを特徴とする。
【００１２】
また、本発明の請求項５に記載の採光装置では、前記導光手段は、前記採光手段に取り付けられる筒状導光部材と、前記筒状導光部材と前記照射手段との間に接続される複数の導光チューブと、を有し、前記筒状導光部材は、前記採光手段側から前記照射手段側に横断面積が拡大される第１テーパ部と、前記採光手段側から前記照射手段側に横断面積が縮小される第２テーパ部と、を有し、前記第１テーパ部は前記筒状導光部材の導入部側に設けられ、前記第２テーパ部は前記筒状導光部材の導出部側に設けられていることを特徴とする。
【００１３】
また、本発明の請求項６に記載の採光装置では、太陽光を導入する採光手段と、前記採光手段からの光をその内面で反射させながら所定方向へ導く筒状の導光手段と、前記導光手段からの光を屋内に照射する照射手段と、を備えた採光装置において、
建物の屋根を貫通して上下方向に延びる筒状支持体が設けられ、前記筒状支持体の上端部は前記建物の屋根から上方に延び、前記採光手段は前記筒状支持体の上端部に取り付けられ、前記導光手段の少なくとも一部は前記筒状支持体の内部に配設されており、
前記照射手段は主照射部及び副照射部を有し、前記導光手段は、主導光部と、前記主導光部の側面から分岐して延びる分岐導光部と、を有し、前記主導光部の導入部は前記筒状支持体の上端開口部を通して前記採光手段に連結され、その導出部は前記筒状支持体の下端開口部を通して前記主照射部に連結され、また前記分岐導光部の導出部は前記副照射部に連結されることを特徴とする。
【発明の効果】
【００１４】
本発明の請求項１に記載の採光装置によれば、導光手段の少なくとも一部は建物の壁内空間に配設されるので、例えば収納空間や居住空間などの建物の内部の有効スペースを狭めることなく、導光手段を配設することができる。
【００１５】
また、本発明の請求項２に記載の採光装置によれば、導光手段は複数の導光チューブを有しているので、採光手段より導入された太陽光を複数の導光チューブを通して建物の内部の複数箇所に導くことができ、屋内を効率良く照明することができる。
【００１６】
また、本発明の請求項３に記載の採光装置によれば、導光手段は、壁内空間に配設される接続用導光チューブを有しているので、壁内空間に接続用導光チューブを配設し、その導入部及び導出部にそれぞれ複数の第１及び第２導光チューブを接続するという比較的簡単な作業でもって、導光手段を配設することができる。
【００１７】
また、本発明の請求項４に記載の採光装置によれば、支持部の開口部には装着部材が取り付けられ、この装着部材には、導光手段の導入部が挿通保持される貫通孔が設けられているので、導光手段の導入部と支持部との連結を容易に行うことができる。
【００１８】
また、本発明の請求項５に記載の採光装置によれば、採光手段に取り付けられる筒状導光部材は第１及び第２テーパ部を有しているので、採光手段より筒状導光部材の内部へと導かれた光は、例えば、第２テーパ部の内面で反射された後に第１テーパ部の内面で反射され、この反射された光が複数の導光チューブの内部へと導かれるようになり、太陽光を複数の導光チューブの内部に効率良く導くことができる。
【００１９】
また、本発明の請求項６に記載の採光装置によれば、建物の屋根を貫通して上下方向に延びる筒状支持体が設けられ、採光手段は、屋根から上方に延びる筒状支持体の上端部に取り付けられるので、屋根から延びる筒状支持体の長さを、採光装置が設置される地域の積雪量に応じた長さに設定することにより、採光手段が屋根に降り積もった雪の中に埋もれてしまうことがなく、太陽光を屋内へ確実に導入することができる。また、導光手段は、主導光部と、主導光部の側面から分岐して延びる分岐導光部と、を有しているので、これら主導光部及び分岐導光部をそれぞれ建物の内部の間取りに対応して配設することにより、建物の内部を効率良く照明することができる。
【発明を実施するための最良の形態】
【００２０】
以下、添付図面を参照して、本発明に従う採光装置の各種実施形態について説明する。
［第１の実施形態］
まず、図１〜図６を参照して、第１の実施形態の採光装置について説明する。図１は、本発明の第１の実施形態による採光装置を示す概略断面図であり、図２は、図１の採光装置の部分拡大断面図であり、図３は、図１の採光手段の分解斜視図であり、図４は、図１中のＡ−Ａ線による壁内空間に配設された複数の導光チューブの概略断面図であり、図５は、図１の採光装置における屈曲筒状部材を屈曲させない状態で示す概略断面図であり、図６は、図５の屈曲筒状部材を約９０度の角度に屈曲させた状態で示す図である。
【００２１】
図１において、図示の採光装置２は、太陽光を導入する採光手段４と、採光手段４からの光をその内面で反射させながら所定方向に導く導光手段６と、導光手段６により導かれた光を屋内に照射する照射手段８と、を備えている。以下、採光装置２の構成について詳細に説明する。
【００２２】
採光手段４は、取付部材１０と、取付部材１０に取り付けられるドーム部材１２とから構成されている。取付部材１０は、例えばガルバニウム、アルミニウム又は銅などの金属や繊維強化プラスチック（ＦＲＰ）などから形成され、建物１４の屋根１６に取り付けられる基台部１８と、基台部１８から上方に延びる円筒状の支持部２０とから構成されている。支持部２０の開口部には、円盤状の装着部材２２が着脱自在に装着されている（図２及び図３参照）。装着部材２２には、後述する複数の導光チューブ６８ａ，６８ｂ，６８ｃの各導入部が挿通保持される複数の貫通孔２４が設けられ、またその外周部にはリング状の係止部２６が設けられている。導光チューブ６８ａ，６８ｂ，６８ｃの各導入部が貫通孔２４に挿通保持された状態で、係止部２６が支持部２０の開口縁部に着脱自在に係止される。
【００２３】
ドーム部材１２は、例えば透明なアクリルやポリカーボネートなどの合成樹脂などから形成され、略半球面状に構成されている。ドーム部材１２の内面には、円弧状に湾曲した集光反射板２８が取り付けられており、この集光反射板２８の凹面側には、太陽光を採光するための反射面が形成されている。このドーム部材１２は、複数の取付ネジ３０を用いて支持部２０にその開口部を覆うようにして取り付けられる。
【００２４】
照射手段８は複数の照射部３２ａ，３２ｂ，３２ｃを有し、各照射部３２ａ，３２ｂ，３２ｃは、略半球面状の拡散カバー部材３４から構成されている。この拡散カバー部材３４は、例えば半透明のアクリルやプラスチックなどの合成樹脂などから形成される。拡散カバー部材３４の開口部には、径方向内方に延びる円弧状の複数の係止突条３６が設けられている（図２参照）。拡散カバー部材３４は、固定用リング３８を介して屋内の天井４０，４２又は内壁４４に取り付けられ、この固定用リング３８は、取付リング部材４６及び装飾リング部材４８を備えている。取付リング部材４６は、リング本体部５０と、リング本体部５０の内周部より上方に延びる筒状部５２と、リング本体部５０の内周部より径方向内方に延びるリング状の取付部５４と、を有している。リング本体部５０の外周部には、拡散カバー部材３４の複数の係止突条３６に対応して複数の係止凹部５６が設けられている。装飾リング部材４８は、リング状の取付本体部５８と、取付本体部５８の外周部に設けられたリング状の装飾部６０と、を有している。取付本体部５８の下面には、その全周に渡ってリング状の結露防止用シール部材６２が取り付けられている。
【００２５】
拡散カバー部材３４は、次のようにして例えば屋内の天井４０に取り付けられる。まず、屋内の天井４０を貫通する円形状の開口６４を設け、この開口６４の外側に装飾リング部材４８を配設する。装飾リング部材４８の取付本体部５８の内周部に結露防止用シール部材６２を介して取付リング部材４６のリング本体部５０を取り付け、取付ネジ６６を用いて取付リング部材４６及び装飾リング部材４８をそれぞれ屋内の天井４０に取り付ける。かく取り付けた取付リング部材４６の各係止凹部５６に拡散カバー部材３４の各係止突条３６をそれぞれ係止させることにより、拡散カバー部材３４が固定用リング３８を介して屋内の天井４０に取り付けられる。
【００２６】
導光手段６は、複数の導光チューブ６８ａ，６８ｂ，６８ｃを有している。導光チューブ６８ａは、採光手段４の支持部２０に連結される採光側筒状部材７０と、照射部３２ａに連結される照射側筒状部材７２と、採光側筒状部材７０と照射側筒状部材７２との間に接続される複数の中間筒状部材７４とから構成されている。また、導光チューブ６８ｂ，６８ｃはそれぞれ、採光側筒状部材７０、複数の中間筒状部材７４及び複数の屈曲筒状部材７６から構成されている。
【００２７】
各筒状部材７０〜７６の内面にはそれぞれ反射面が形成され、この反射面は、例えばアルミニウムフィルムなどの反射材を貼着する、あるいはアルミニウムの蒸着などにより構成されている。また、各筒状部材７０〜７６はそれぞれ、その一端側の外径が他端側の外径よりも幾分小さいテーパ状に形成されている。採光側筒状部材７０の一端部及び照射側筒状部材７２の他端部にはそれぞれ、径方向外方に延びるリング状の被係止部７８，８０が設けられている。
【００２８】
屈曲筒状部材７６は、相互に回動自在に接続された４個の筒状体８２から構成されている（図５参照）。筒状体８２の相互に接続される開口端は、軸線Ｃに対して約６０度の角度で傾斜しており、また両側に配設される筒状体８２の外側の開口端はそれぞれ、軸線Ｃに対して実質上垂直に構成されている。また、筒状体８２の一方の開口端にはそれぞれ、径方向外方に幾分突出するリング状の嵌合用突部８４が設けられ、また筒状体８２の他方の開口端にはそれぞれ、嵌合用突部８４に摺動自在に嵌合されるリング状の嵌合用凹部８６が設けられている。これにより、相互に隣接する一対の筒状体８２のうち一方の筒状体８２をその他方の筒状体８２に対して図５中の矢印で示すように回動させることができ、かく回動させることにより、一方の筒状体８２は他方の筒状体８２に対して０度〜３０度の角度範囲で自在に屈曲され、従って、この屈曲筒状部材７６は全体として０度〜９０度の角度範囲で任意の角度に自在に屈曲される（図６参照）。なお、図１及び図２においては、嵌合用突部８４及び嵌合用凹部８６の図示を省略してある。
【００２９】
例えば、屈曲筒状部材７６が直線状に延びる状態（即ち、屈曲角度が約０度の状態）より、一端側の筒状体８２をこれに隣接する筒状体８２に対して約３０度の角度で屈曲させると、屈曲筒状部材７６は全体として約３０度の角度で屈曲される。更に、この筒状体８２をこれに隣接する筒状体８２に対して約３０度の角度で屈曲させると、屈曲筒状部材７６は全体として約６０度の角度で屈曲される。更にまた、この筒状体８２をこれに隣接する他端側の筒状体８２に対して約３０度の角度で屈曲させると、屈曲筒状部材７６は全体として約９０度の角度で屈曲される。なお、屈曲筒状部材７６の一端側の外径は、その他端側の外径よりも幾分小さく構成されている。
【００３０】
導光手段６は、建物１４の内部に次のようにして配設される。まず、導光チューブ６８ａの配設方法について説明する。採光側筒状部材７０の一端部（即ち、導光チューブ６８ａの導入部）は、屋根１６に設けられた開口８８及び支持部２０の内部を通して装着部材２２の貫通孔２４に挿入され、その被係止部７８は装着部材２２の貫通孔２４の内周縁部に係止される。中間筒状部材７４の一端部は採光側筒状部材７０の他端部よりその内部に所定長さだけ挿入され、採光側筒状部材７０の他端部と中間筒状部材７４の一端部との継ぎ目に例えばアルミニウムテープ（図示せず）などを貼着することにより両者が相互に接続される。同様にして、採光側筒状部材７０、複数の中間筒状部材７４及び照射側筒状部材７２がこの順に相互に接続され、これにより導光チューブ６８ａが構成される。また、照射側筒状部材７２の被係止部８０は二階部の天井４０に設けられた開口６４を通して取付リング部材４６の取付部５４に係止され、更に照射側筒状部材７２の被係止部８０と取付リング部材４６の筒状部５２との間に例えばゴムなどで形成される固定用チューブ部材９０を装着することにより、照射側筒状部材７２の他端部（即ち、導光チューブ６８ａの導出部）が固定用リング３８を介して照射部３２ａに連結される。このようにして導光チューブ６８ａは、建物１４の屋根裏空間９２において採光手段４から照射部３２ａに向かって下方に延びて配設される。
【００３１】
次に、導光チューブ６８ｂ，６８ｃの配設方法について説明する。導光チューブ６８ｂは、採光手段４より建物１４の屋根裏空間９２を下方に延びた後に約９０度屈曲され、更に略水平方向に延びた後に再び約９０度屈曲され、内壁４４に設けられた開口９４を通して壁内空間９６（即ち、柱材９８の屋外側に配設された外壁１００と、柱材９８の屋内側に配設された内壁４４との間に形成された空間）に延びる（図１及び図４参照）。そして、導光チューブ６８ｂは、壁内空間９６をこれに沿って下方に延びた後に約９０度屈曲され、内壁４４に設けられた開口１０２を通して天井裏空間１０４をこれに沿って略水平方向に延びた後に再び約９０度屈曲され、一階部の天井４２に取り付けられた照射部３２ｂに連結される。また、導光チューブ６８ｃは、導光チューブ６８ｂと同様に、屋根裏空間９２及び壁内空間９６を通して配設され、壁内空間９６を下方に延びた後に約９０度屈曲され、一階部の内壁４４に取り付けられた照射部３２ｃに連結される。
【００３２】
本実施形態の採光装置２による屋内の照明は、次のようにして行われる。採光手段４のドーム部材１２を通して導入された太陽光は、日の出や日の入りなど太陽高度の低いときには、ドーム部材１２内に取り付けられた集光反射板２８の凹面側で反射されて導光チューブ６８ａ，６８ｂ，６８ｃの内部へと導かれ、また日中など太陽高度の高いときには、支持部２０の開口部より導光チューブ６８ａ，６８ｂ，６８ｃの内部へと導かれる。このように導かれた光は、導光チューブ６８ａ，６８ｂ，６８ｃの内面をそれぞれ乱反射しながら所定方向（即ち、照射手段８が配設された方向）へと導かれ、導光チューブ６８ａ，６８ｂ，６８ｃの各導出部から出射される。導光チューブ６８ａの導出部から出射された光は、照射部３２ａの拡散カバー部材３４を通して二階部の室内に拡散照射され、また、導光チューブ６８ｂ，６８ｃの導出部から出射された光はそれぞれ、照射部３２ｂ，３２ｃの拡散カバー部材３４を通して一階部の室内に拡散照射される。
【００３３】
本実施形態の採光装置２では、上述のように、導光チューブ６８ａは建物１４の屋根裏空間９２に配設され、導光チューブ６８ｂ，６８ｃは、建物１４の屋根裏空間９２、壁内空間９６及び天井裏空間１０４を通して配設されるので、例えば収納空間や居住空間などの建物１４の内部の有効スペースを狭めることなく、導光手段６を配設することができる。
【００３４】
なお、本実施形態では、導光チューブ６８ｂ，６８ｃの一部を外壁１００と内壁４４との間に形成された壁内空間９６に配設したが、一対の内壁の間に形成された壁内空間に配設してもよい。
【００３５】
また、本実施形態では、導光チューブ６８ａ，６８ｂ，６８ｃの導入部を装着部材２２を介して支持部２０に取り付けるようにしたが、例えば次のようにして取り付けてもよい。即ち、導光チューブ６８ａ，６８ｂ，６８ｃの各導入部における外周面にそれぞれフック部材を設け、このフック部材を支持部２０の開口縁部に係止させることにより、導光チューブ６８ａ，６８ｂ，６８ｃの各導入部を支持部２０に取り付けるようにしてもよい。
【００３６】
また、本実施形態では、導光手段６を外径のほぼ等しい複数の導光チューブ６８ａ，６８ｂ，６８ｃから構成したが、外径の異なる複数の導光チューブから構成してもよく、あるいは、１本の導光チューブから構成してもよい。
【００３７】
［第２の実施形態］
次に、図７〜図９を参照して、第２の実施形態の採光装置について説明する。図７は、本発明の第２の実施形態による採光装置の概略断面図であり、図８は、図７中のＢ−Ｂ線による壁内空間に配設された接続用導光チューブの概略断面図であり、図９は、図７の接続用導光チューブを示す概略斜視図である。なお、以下の実施形態において、上記第１の実施形態と実質上同一の構成要素には同一の符号を付し、その説明を省略する。
【００３８】
図７〜図９において、この第２の実施形態の採光装置２Ａでは、導光手段６Ａは、採光手段４の支持部２０に取り付けられる筒状導光部材１０６と、建物１４の壁内空間９６に配設される接続用導光チューブ１０８と、接続用導光チューブ１０８の導入部と筒状導光部材１０６との間に接続される複数の第１導光チューブ１１０と、接続用導光チューブ１０８の導出部に接続される複数の第２導光チューブ１１２と、を有している。
【００３９】
筒状導光部材１０６は、採光手段４側から照射手段（図示せず）側に横断面積が拡大される第１テーパ部１１４と、採光手段４側から照射手段側に横断面積が縮小される第２テーパ部１１６と、を有しており、第１テーパ部１１４は筒状導光部材１０６の導入部側に設けられ、第２テーパ部１１６は筒状導光部材１０６の導出部側に設けられている。第１及び第２テーパ部１１４，１１６の内面にはそれぞれ反射面が形成されている。筒状導光部材１０６の導入部側の開口縁部には、径方向外方に延びるリング状の係止部１１８が設けられ、この係止部１１８が支持部２０の開口縁部に係止されることによって、筒状導光部材１０６が支持部２０の内部に配設される。筒状導光部材１０６の導出部には、複数の第１導光チューブ１１０の各導入部が挿入され取り付けられる。
【００４０】
第１導光チューブ１１０は、採光側筒状部材７０、中間筒状部材７４及び複数の屈曲筒状部材７６が相互に接続されることにより構成されている。また、第２導光チューブ１１２は、照射側筒状部材（図示せず）、中間筒状部材７４及び複数の屈曲筒状部材７６が相互に接続されることにより構成されている。接続用導光チューブ１０８は、断面楕円形状の筒状に構成され、その導入部及び導出部にはそれぞれ取付プレート１２０，１２２が設けられている（図９参照）。取付プレート１２０には、複数の第１導光チューブ１１０の各導出部が挿通保持される複数の貫通孔１２４が設けられ、また取付プレート１２２には、複数の第２導光チューブ１１２の各導入部が挿通保持される複数の貫通孔１２６が設けられている。
【００４１】
本実施形態の採光装置２Ａでは、導光手段６Ａは次のようにして配設される。複数の第１導光チューブ１１０はそれぞれ、採光手段４より建物１４の屋根裏空間９２を下方に延びた後に約９０度屈曲され、更に略水平方向に延びた後に再び約９０度屈曲される。そして、複数の第１導光チューブ１１０はそれぞれ、内壁４４に設けられた開口９４を通して壁内空間９６に延び、接続用導光チューブ１０８の導入部に接続される。接続用導光チューブ１０８は、壁内空間９６をこれに沿って下方に延びて配設されている。複数の第２導光チューブ１１２は、接続用導光チューブ１０８の導出部より延びて壁内空間９６や天井裏空間１０４などに配設され、複数の照射部（図示せず）にそれぞれ連結される。
【００４２】
本実施形態の採光装置２Ａによる屋内の照明は、次のようにして行われる。採光手段４のドーム部材１２を通して導入された太陽光は、筒状導光部材１０６の内部へと導かれ、第２テーパ部１１６の内面に形成された反射面で反射された後に、第１テーパ部１１４の内面に形成された反射面で反射され、この反射された光が複数の第１導光チューブ１１０の内部へと導かれる。この光は、複数の第１導光チューブ１１０、接続用導光チューブ１０８及び複数の第２導光チューブ１１２の各内面をそれぞれ乱反射しながら所定方向へと導かれ、複数の照射部よりそれぞれ出射される。
【００４３】
本実施形態の採光装置２Ａでは、壁内空間９６に接続用導光チューブ１０８を配設し、その導入部及び導出部にそれぞれ複数の第１及び第２導光チューブ１１０，１１２を接続すればよいので、導光手段６Ａの配設を容易に行うことができる。
【００４４】
［第３の実施形態］
次に、図１０〜図１２を参照して、第３の実施形態の採光装置について説明する。図１０は、本発明の第３の実施形態による採光装置を示す概略断面図であり、図１１は、図１０の導光手段の分岐導光部を示す斜視図であり、図１２は、図１０中のＣ−Ｃ線による建物の内部に配設された導光手段の概略断面図である。
【００４５】
図１０において、第３の実施形態の採光装置２Ｂでは、建物１４Ｂの内部を貫通して上下方向に延びる筒状支持体１２８が配設されており、この筒状支持体１２８は建物１４Ｂの主要な柱（図示せず）などに連結固定されている。筒状支持体１２８の上端部は屋根１６Ｂに設けられた開口８８Ｂを通して上方に延び、またその下端部は二階部の床１３０に固定されている。
【００４６】
採光手段４Ｂの取付部材１０Ｂは、プレート状の基台部１８Ｂと、この基台部１８Ｂから上方に延びる支持部２０とから構成され、基台部１８Ｂの外周部には下方に延びる筒状の側カバー部１３４が設けられている。基台部１８Ｂの側カバー部１３４が筒状支持体１２８の上端部の外周部を覆うようにして、取付部材１０Ｂが筒状支持体１２８の上端部に取り付けられる。
【００４７】
また、照射手段８Ｂは、主照射部１３６及び複数の副照射部１３８を有している。主照射部１３６は、略半球状の拡散カバー部材３４から構成され、副照射部１３８は、プレート状の拡散カバー部材１４０から構成されている。
【００４８】
導光手段６Ｂは、主導光部１４２と、主導光部１４２の側面から分岐して延びる複数の分岐導光部１４４と、を有している。主導光部１４２は、採光側筒状部材７０、照射側筒状部材７２、複数の中間筒状部材７４及び分岐筒状部材１４６が相互に接続されることにより構成されている。分岐筒状部材１４６は、本体筒状部１４８と、本体筒状部１４８の側面より分岐して延びる複数の分岐筒状部１５０とから構成され、この分岐筒状部１５０が分岐導光部１４４として機能される。主導光部１４２は、筒状支持体１２８の内部に上下方向に延びて配設されており、主導光部１４２の導入部は筒状支持体１２８の上端開口部を通して上方に延びて支持部２０に連結され、その導出部は、筒状支持体１２８の下端開口部を通して下方に延びて一階部の天井４２Ｂに設けられた主照射部１３６に連結されている。また、複数の分岐導光部１４４は、建物１４Ｂの居室１５２の間取りに対応して配設されている（図１２参照）。分岐導光部１４４の導出部は筒状支持体１２８の側面に設けられた開口１５４に装着され、この導出部には副照射部１３８が連結されている。
【００４９】
屋根１６Ｂから延びる筒状支持体１２８の上端部の突出長さＬは、この採光装置２Ｂが設置される地域の積雪量Ｄよりも長く設定するのが好ましく、例えば、積雪量が０．８ｍの地域では、筒状支持体１２８の上端部の突出長さＬは、この積雪量０．８ｍよりも長い１．０ｍ〜１．２ｍ程度に設定するのが好ましい。このように筒状支持体１２８の上端部の長さＬを設定することにより、例えば雪が屋根１６Ｂに降り積もった際に、ドーム部材１２をこの雪よりも上方に位置させることができる。従って、ドーム部材１２がこの雪の中に埋もれてしまうことがなく、太陽光を屋内に確実に照射することが可能となる。また、複数の分岐導光部１４４は、建物１４Ｂの居室１５２の間取りに対応して配設されているので、太陽光を屋内に効率良く照射することができる。
【００５０】
以上、本発明に従う採光装置の種々の実施形態について説明したが、本発明はかかる実施形態に限定されるものではなく、本発明の範囲を逸脱することなく種々の変形乃至修正が可能である。
【図面の簡単な説明】
【００５１】
【図１】本発明の第１の実施形態による採光装置を示す概略断面図である。
【図２】図１の採光装置の部分拡大断面図である。
【図３】図１の採光手段の分解斜視図である。
【図４】図１中のＡ−Ａ線による壁内空間に配設された複数の導光チューブの概略断面図である。
【図５】図１の採光装置における屈曲筒状部材を屈曲させない状態で示す概略断面図である。
【図６】図５の屈曲筒状部材を約９０度の角度に屈曲させた状態で示す図である。
【図７】本発明の第２の実施形態による採光装置の概略断面図である。
【図８】図７中のＢ−Ｂ線による壁内空間に配設された接続用導光チューブの概略断面図である。
【図９】図７の接続用導光チューブを示す概略斜視図である。
【図１０】本発明の第３の実施形態による採光装置を示す概略断面図である。
【図１１】図１０の導光手段の分岐導光部を示す斜視図である。
【図１２】図１０中のＣ−Ｃ線による建物の内部に配設された導光手段の概略断面図である。
【符号の説明】
【００５２】
２，２Ａ，２Ｂ  採光装置
４，４Ｂ  採光手段
６，６Ａ，６Ｂ  導光手段
８，８Ｂ  照射手段
１０，１０Ｂ  取付部材
１２  ドーム部材
１４，１４Ｂ  建物
１８，１８Ｂ  基台部
２０  支持部
２２  装着部材
２４  貫通孔
６８ａ，６８ｂ，６８ｃ  導光チューブ
９６  壁内空間
１０６  筒状導光部材
１０８  接続用導光チューブ
１１０  第１導光チューブ
１１２  第２導光チューブ
１１４  第１テーパ部
１１６  第２テーパ部
１２８  筒状支持体
１３６  主照射部
１３８  副照射部
１４２  主導光部
１４４  分岐導光部
【図１】
2010067506.tif 000003
【図２】
2010067506.tif 000004
【図３】
2010067506.tif 000005
【図４】
2010067506.tif 000006
【図５】
2010067506.tif 000007
【図６】
2010067506.tif 000008
【図７】
2010067506.tif 000009
【図８】
2010067506.tif 000010
【図９】
2010067506.tif 000011
【図１０】
2010067506.tif 000012
【図１１】
2010067506.tif 000013
【図１２】
2010067506.tif 000014